(57)【特許請求の範囲】
【請求項１】
釣糸が挿通される挿通孔が設けられた仕掛け本体と、
当該仕掛け本体に取り付き、上記釣糸に沿って糸を編み込んで形成したストッパとからなり、
上記ストッパは、釣糸に沿って引っ張ることで釣糸に係止し、釣糸に沿ってストッパを縮めることで釣糸への係止が解除されることを特徴とする移動式仕掛け。
【請求項２】
ストッパを形成する糸は、仕掛け本体の挿通孔に挿通して仕掛け本体に取り付けられていることを特徴とする請求項１に記載の移動式仕掛け。
【請求項３】
ストッパを形成する糸は、仕掛け本体に設けられた糸挿通孔に挿通して仕掛け本体に取り付けられていることを特徴とする請求項１に記載の移動式仕掛け。                                                                              
【発明の詳細な説明】
【技術分野】
【０００１】
本発明は、釣場の状況に応じ、釣糸への取付位置を容易に変更可能な移動式仕掛けに関する。
【背景技術】
【０００２】
カワハギ釣りやイカ釣り，その他の釣りの仕掛けに於て、幹糸に複数のハリスを連結する場合、従来ではハリスを幹糸に直接縛っていたが、ハリスを幹糸に直接縛ってしまうと、幹糸が傷付き易いという不具合があった。
そこで、昨今では、幹糸を挿通して仕掛けを取り付け、この仕掛けにハリスを連結している。そして、この種の仕掛けとして、図１５及び図１６に示すようにハリス１を止着するハリス止め３が取り付く合成樹脂製のビーズ玉５が広く使用されており、ビーズ玉５は、中央に幹糸７が挿通する挿通孔９が設けられている。
【０００３】
そして、幹糸７に複数のビーズ玉５を所定間隔を開けて配し、各ビーズ玉５の両側に幹糸７による結びコブ１１を作って、この結びコブ１１でビーズ玉５の上下動を阻止し、幹糸７からの脱落防止を図っていた（特許文献１）。
【特許文献１】特開２００１−１９７８５４号公報
【発明の開示】
【発明が解決しようとする課題】
【０００４】
しかし乍ら、斯様にビーズ玉５の両側に結びコブ１１を作ってしまうと、ハリス（針）を取り付ける位置が固定されてしまうが、ねらう魚の活性やエサトリの状態によって針を取り付ける位置が変更できることが望ましく、魚が広い層にいる時や狭い層に集まっている時とでは、針の間隔を変更したいのが実情である。
また、幹糸７に結びコブ１１を作ると、結びコブ１１を作った箇所が劣化し易いという問題があると共に、一般に幹糸７は長いため、幹糸７の途中に輪を作ってその輪に幹糸７を通す際に、幹糸７が絡んだりして結びコブ１１を作る作業自体が非常に面倒であるといった不具合も指摘されていた。
【０００５】
本発明は斯かる実情に鑑み案出されたもので、釣糸への取付位置を容易に変更でき、例えば釣場の状況に応じ、幹糸に対するハリスの取付位置を容易に変更することが可能な移動式仕掛けを提供することを目的とする。
【課題を解決するための手段】
【０００６】
斯かる目的を達成するため、請求項１に係る移動式仕掛けは、釣糸が挿通される挿通孔が設けられた仕掛け本体と、当該仕掛け本体に取り付き、上記釣糸に沿って糸を編み込んで形成したストッパとからなり、上記ストッパは、釣糸に沿って引っ張ることで釣糸に係止し、釣糸に沿ってストッパを縮めることで釣糸への係止が解除されることを特徴とする。
【０００７】
そして、請求項２に係る発明は、請求項１に記載の移動式仕掛けに於て、ストッパを形成する糸は、仕掛け本体の挿通孔に挿通して仕掛け本体に取り付けられていることを特徴とし、請求項３に係る発明は、請求項１に記載の移動式仕掛けに於て、ストッパを形成する糸は、仕掛け本体に設けられた糸挿通孔に挿通して仕掛け本体に取り付けられていることを特徴とする。
【発明の効果】
【０００８】
各請求項に係る移動式仕掛けによれば、釣糸への取付位置を容易に変更することが可能で、例えば釣場の状況に応じ、幹糸に対するハリスの取付位置を容易に変更することができるため、従来例に比し釣果の向上を図ることが可能となった。
また、釣糸に仕掛けの上下動を阻止する結びコブを作る必要がないため、結びコブを作ることによる釣糸の劣化を防止することができる利点を有する。
【発明を実施するための最良の形態】
【０００９】
以下、本発明の実施形態を図面に基づいて詳細に説明する。
図１乃至図４は請求項１及び請求項２に係る発明をカワハギ釣りやイカ釣り，その他の釣りで幹糸にハリスを取り付けた仕掛けに用いるビーズ玉に適用した第一実施形態を示し、図１中、１５はナイロン等、合成樹脂製のモノフィラメント等の幹糸（釣糸）、１７は幹糸１５の先端に接続した重りで、幹糸１５に、所定間隔を開けてハリス１９を当該幹糸１５に接続する４個の同一構造のビーズ玉（仕掛け本体）２１が取り付けられている。
【００１０】
図２に示すようにビーズ玉２１は合成樹脂で形成された断面楕円形状をなし、長径（上下）方向の中央に幹糸１５が挿通可能な挿通孔２３が設けられている。
また、図２及び図３に示すように、挿通孔２３に直交して従来周知の金属製のハリス止め２５の二股端部２５ａ，２５ｂが、挿通孔２３を挟んでビーズ玉２１の側部中央にインサートされて止着されており、当該ハリス止め２５にハリス１９が止着されている。そして、ハリス１９の先端に釣針２７が取り付き、ハリス１９の他端側には脱落防止用の結びコブ２９が設けられている。
【００１１】
そして、本実施形態は、上述した従来と同様の構成に加え、ビーズ玉２１の両側（上方側と下方側）に、釣場の状況に応じ、幹糸１５に対するハリス１９（釣針２７）の取付位置を容易に変更可能なストッパ３１，３３を、ポリエチレン，ポリエステル，ケプラー等の幹糸１５と異なる材料で成形した１本の糸３５を幹糸１５に編み込んで設けたことを特徴としており、ストッパ３１，３３は、ビーズ玉２１の挿通孔２３の開口部から幹糸１５に沿って、上下方向に遠ざかるように延設されている。そして、ストッパ３１，３３の糸３５は幹糸１５よりも柔らかく、容易に曲がるように形成してある。
【００１２】
以下、ストッパ３１，３３の構造を説明すると、図２に示すようにビーズ玉２１の下側に設けられたストッパ３１は、ビーズ玉２１の下方に於て、１本の糸３５の中央から幹糸１５に沿ってその周囲にクロスさせ乍らビーズ玉２１方向へ順次螺旋状に編み込んだもので、糸３５は挿通孔２３の入口３７で幹糸１５に軽く一度締結されている。そして、図２に示すようにストッパ３１は、幹糸１５に沿って全体を引っ張ることで幹糸１５に沿って移動し、編み目の形状が変化して糸３５が幹糸１５に密着するように係止し、また、図４の如く幹糸１５に沿ってストッパ３１全体を矢印方向へ縮めることで、編み目が緩んで幹糸１５への係止が解除されるようになっている。尚、糸３５は幹糸１５より径が小さく、幹糸１５に沿って移動し易くなっている。
【００１３】
そして、挿通孔２３の入口３７で幹糸１５に一度締結された糸３５は、幹糸１５と共に挿通孔２３に挿通した後、挿通孔２３の出口３９からビーズ玉２１の外周に１度巻回されて、再び挿通孔２３の入口３７から当該挿通孔２３内に挿通して出口３９で幹糸１５に軽く締結されて糸３５の移動が規制されているが、図２及び図３に示すように糸３５は、ビーズ玉２１の外周に巻回される際に、前記ハリス止め２５の基部に締結されている。
【００１４】
而して、斯様に糸３５をハリス止め２５の基部に締結する等、糸３５を仕掛け本体２１やこれに取り付けた部材に止着することで、糸３５とビーズ玉２１とが確実に一体となって、糸３５に対するビーズ玉２１（仕掛け本体２１）のズレが防止されると共に、ストッパ３１，３３の移動が規制されて、ストッパ３１，３３が不用意に緩んで係止が解除されてしまうことが防止される。
【００１５】
そして、図２に示すように挿通孔２３の出口３９で幹糸１５に締結された糸３５を、更に幹糸１５に沿ってその周囲にクロスさせ乍ら上方へ螺旋状に順次編み込んで前記ストッパ３３が形成されており、糸３５の両端部は結びコブ４１で連結されている。而して、斯様に形成されたストッパ３３も、図２に示すように幹糸１５に沿ってストッパ３３全体を引っ張ることで編み目が幹糸１５に密着するように係止し、図４の如く幹糸１５に沿ってストッパ３３全体を矢印方向へ縮めることで編み目が緩んで幹糸１５への係止が解除されるようになっている。
【００１６】
従って、図４に示すように両ストッパ３１，３３を、夫々、幹糸１５に沿って矢印方向へ縮めて編み目を緩めれば、幹糸１５に対する密着係止が解除されてビーズ玉２１を幹糸１５に沿って矢印方向へ上下動でき、幹糸１５に対するハリス１９（釣針２７）の取付位置が変更できることとなる。
尚、一般に幹糸１５はナイロンのモノフィラメントを用いることが多く、この場合、ストッパ３１，３３の糸３５に同種材料のナイロンを用いると、滑りがあまりよくないため、ストッパが移動し難い。このため、既述したように幹糸１５と異種の材料（ポリエチレン，ポリエステル，ケプラー等）を用いるとよい。
【００１７】
そして、ビーズ玉２１を幹糸１５に沿って所定の位置に移動させた後、図２に示すようにストッパ３１，３３全体を夫々幹糸１５に沿って引っ張れば、編み目が締まって幹糸１５に密着係止するため、幹糸１５に沿った移動が規制された状態でビーズ玉２１が幹糸１５に保持される。
本実施形態に係る移動式ビーズ玉（移動式仕掛け）４３はこのように構成されており、当該移動式ビーズ玉４３は、一例として図１に示すように予め幹糸１５に４個取り付けられた状態で店頭等で販売される。
【００１８】
而して、釣人は実釣に当たり、移動式ビーズ玉４３が取り付く幹糸１５を道糸に接続し、幹糸１５の先端に重り１７を取り付け、そして、夫々のビーズ玉２１のハリス止め２５にハリス１９を取り付けて釣針２７に餌を付ければよい。
また、魚の活性やエサトリの状態によってハリス１９（釣針２７）を取り付ける位置を変更するには、既述したようにビーズ玉２１の両側に設けたストッパ３１，３３を、夫々、図４の如く幹糸１５に沿って矢印方向へ縮めれば、編み目が緩んで幹糸１５に対する密着係止が解除されるため、ビーズ玉２１を幹糸１５に沿って矢印方向へ上下動でき、幹糸１５に対するハリス１９（釣針２７）の取付位置が変更できることとなる。
【００１９】
このとき、糸３５は挿通孔２３の入口３７と出口３９で幹糸１５に軽く締結されているため、ビーズ玉２１の移動にストッパ３１，３３が支障を来すことはなく、また、糸３５がハリス止め２５の基部に締結されているため、既述したように糸３５とビーズ玉２１とが確実に一体となってビーズ玉２１のズレが規制される。
そして、ビーズ玉２１を幹糸１５に沿って所定の位置に移動させた後、図２に示すようにストッパ３１，３３全体を夫々幹糸１５に沿って引っ張れば、編み目が締まって幹糸１５に密着係止するため、ビーズ玉２１が幹糸１５に保持されることとなる。
【００２０】
尚、このとき、幹糸１５よりストッパ３１，３３の糸３５の方が柔らかいため、ストッパ３１，３３が幹糸１５に係止されることで幹糸１５を屈曲させてもヨレを発生させることが防止され、また、ストッパ３１，３３の幹糸１５に沿った移動も容易になる。
このように、本実施形態に係る移動式ビーズ玉４３によれば、釣場の状況に応じ、幹糸１５に対するハリス１９（釣針２７）の取付位置を容易に変更することができるため、図１５の従来例に比し、釣果の向上を図ることが可能となった。
【００２１】
また、本実施形態によれば、幹糸１５にビーズ玉２１の上下動を阻止する結びコブを作る必要がないため、結びコブを作ることによる幹糸１５の劣化を防止することができる利点を有する。
尚、上記実施形態は、ビーズ玉に請求項１及び請求項２に係る発明を適用したが、図５に示すように本発明は、釣糸１５-1に取り付ける錘にも適用可能である。
【００２２】
即ち、図中、４５は前記ビーズ玉２１と同一の外形形状からなる鉛製の錘本体（仕掛け本体）で、その長径方向の中央に、釣糸１５-1が挿通可能な挿通孔２３が設けられている。
そして、本実施形態に係る移動式錘（移動式仕掛け）４７は、１本の糸３５を釣糸１５-1に編み込んで、図２の移動式ビーズ玉４３と同一構造のストッパ３１，３３を錘本体４５の両側に設けたものである。
【００２３】
その他、図１の実施形態と同一のものには同一符号を付してそれらの説明は省略する。
而して、本実施形態にあっても、錘本体４５の取付位置を変更するには、錘本体４５の両側に設けたストッパ３１，３３を同じく釣糸１５-1に沿って縮めれば、編み目が緩んで釣糸１５-1に対する密着係止が解除されるため、錘本体４５を釣糸１５-1に沿って上下動でき、釣糸１５-1に対する錘本体４５の取付位置が変更できることとなる。
【００２４】
そして、釣糸１５-1に沿って所定の位置に錘本体４５を移動させた後、ストッパ３１，３３全体を夫々釣糸１５-1に沿って引っ張れば、編み目が締まって釣糸１５-1に密着係止するため、錘本体４５が釣糸１５-1に固定される。
このように、本実施形態に係る移動式錘４７によっても、釣場の状況に応じ、釣糸１５２-1に対する錘本体４５の取付位置を容易に変更することができると共に、釣糸１５-1に錘本体４５の上下動を阻止する結びコブを作る必要がないため、結びコブを作ることによる釣糸１５-1の劣化を防止することができる。
【００２５】
図６は請求項１及び請求項２の第三実施形態に係る移動式ビーズ玉を示し、既述したように図１乃至図４の実施形態は、図１に示すように予め幹糸１５に同一種類の移動式ビーズ玉４３を４個取り付けた状態で販売するものであるが、例えば釣場の状況に応じ、釣人はウエイト，色，形，大きさ等の異なるビーズ玉を個々に用意して、これらを適宜取り付けたい場合等がある。
【００２６】
そこで、本実施形態は、移動式ビーズ玉（移動式仕掛け）４３-1単品を幹糸１５に後付け可能としたもので、図中、４９はビーズ玉２１の挿通孔２３に挿通した幹糸挿通具を示し、当該幹糸挿通具４９は、幹糸１５よりも小径な１本の紐５１をループ状にして形成されている。
そして、本実施形態は、幹糸挿通具５３に沿って糸３５を螺旋状に編み込んでビーズ玉２１の両側に既述したストッパ３１，３３を設けたもので、矢印方向に幹糸挿通具４９（紐５１）を引っ張ると、簡単に幹糸挿通具４９がストッパ３１，３３から引き抜けるようになっている。
【００２７】
本実施形態に係る移動式ビーズ玉４３-1はこのように構成されているから、当該移動式ビーズ玉４３-1を幹糸１５に取り付けるには、図６に示すように幹糸挿通具４９のループ状の紐５１内に幹糸１５を通した後、幹糸１５が抜け落ちないように注意し乍ら、幹糸挿通具４９を矢印方向へ引っ張ってストッパ３１，３３から引き抜けば、幹糸１５がストッパ３１，３３内に挿通する。
【００２８】
而して、この後、図２の移動式ビーズ玉４３と同一操作で、幹糸１５に対するビーズ玉２１の取付位置を変更することが可能で、図２の移動式ビーズ玉４３と同様、所期の目的を達成することが可能である
図７及び図８は請求項１及び請求項２に係る移動式仕掛けの第四実施形態を示し、本実施形態に係る移動式ビーズ玉（移動式仕掛け）４３-2は、挿通孔２３の入口３７から出口３９に亘ってビーズ玉２１の外周に糸３５の巻回溝５３を一筋設けて、当該巻回溝５３にハリス止め２５を挿着したもので、巻回溝５３に巻回された糸３５は巻回溝５３内に収まって、ビーズ玉２１の外周から外方へ突出しないようになっている。
【００２９】
尚、その他の構成は図２の移動式ビーズ玉４３と同様であるので、同一のものには同一符号を付してそれらの説明は省略する。
而して、本実施形態によれば、既述した移動式ビーズ玉４３と同様、所期の目的を達成することができると共に、巻回溝５３に巻回された糸３５が巻回溝５３内に収まってビーズ玉２１の外周から外方へ突出しないため、実釣時等に糸３５が擦れて切れることがなくなり、また、糸３５の収まりがよく、ビーズ玉２１の周方向への移動や釣針２７による絡みが防止されるといった利点を有する。
【００３０】
図９乃至図１２は請求項１及び請求項３に係る発明を、同じくビーズ玉に適用した一実施形態を示す。
尚、図１乃至図４の実施形態と同一のものは同一符号を以って表示する。
図９に於て、５５は幹糸１５に所定間隔を開けて取り付けられた４個の同一構造のビーズ玉（仕掛け本体）で、図１０に示すようにビーズ玉５５は合成樹脂で形成された断面楕円形状をなし、長径方向の中央に幹糸１５が挿通可能な挿通孔５７が設けられている。
【００３１】
また、図１０及び図１１に示すように、挿通孔５７に直交してハリス止め２５の二股端部２５ａ，２５ｂが、挿通孔５７を挟んでビーズ玉５５の側部中央にインサートされており、当該ハリス止め２５にハリス１９が止着され、そして、ハリス１９の先端に釣針２７が取り付き、ハリス１９の他端側に結びコブ２９が設けられている。
更に、図１０及び図１１に示すようにビーズ玉５５には、挿通孔５７に沿って当該挿通孔５７とは別に設けた２本の糸挿通孔５９，６１が、当該挿通孔５７を挟んでハリス止め２５の二股端部２５ａ，２５ｂ間に設けられている。
【００３２】
そして、本実施形態は、ビーズ玉５５の上側に１本の糸３５を幹糸１５に編み込んで、幹糸１５に対するハリス１９（釣針２７）の取付位置を容易に変更可能なストッパ６３を設けたことを特徴とする。
図１０に示すように糸３５は、挿通孔５７を挟んでビーズ玉５５に挿通孔５７と並設した２つの前記糸挿通孔５９，６１に挿通して、ビーズ玉５５の下部外周にＵ字状に掛け渡されている。そして、糸挿通孔５９，６１からビーズ玉５５の上方へ引き出された糸３５を、幹糸１５に沿ってその周囲にクロスさせ乍ら上方へ順次螺旋状に編み込んで、既述したストッパ３３と同様な機能を奏するストッパ６３が、挿通孔５７に挿通した幹糸１５に沿ってビーズ玉５５の一方側（上方側）に形成されており、糸３５の端部は結びコブ４１で連結されている。
【００３３】
そして、図１０に示すようにストッパ６３は、幹糸１５に沿って全体を引っ張ることで編み目が幹糸１５に密着係止し、また、図１２の如く幹糸１５に沿ってストッパ６３全体を矢印方向へ縮めることで編み目が緩むようになっている。
従って、斯様にストッパ６３を幹糸１５に沿って縮めて編み目を緩めることで、幹糸１５に対する密着係止が解除されるため、ビーズ玉５５を幹糸１５に沿って矢印方向へ上下動でき、幹糸１５に対するハリス１９（釣針２７）の取付位置が変更できることとなる。
【００３４】
そして、ビーズ玉５５を幹糸１５に沿って所定の位置に移動させた後、図１０に示すようにストッパ６３全体を幹糸１５に沿って引っ張れば、編み目が締まって幹糸１５に密着係止するため、幹糸１５にビーズ玉５５が固定される。
本実施形態に係る移動式ビーズ玉（移動式仕掛け）６５はこのように構成されており、当該移動式ビーズ玉６５も、図９に示すように予め幹糸１５に４個取り付けられて店頭等で販売される。
【００３５】
而して、釣人は実釣に当たり、移動式ビーズ玉６５が取り付く幹糸１５を道糸に接続し、図９の如く幹糸１５の先端に重り１７を取り付けると共に、夫々のビーズ玉５５のハリス止め２５にハリス１９を接続して、釣針２７に餌を付けて使用すればよい。
そして、魚の活性等によってハリス１９（釣針２７）を取り付ける位置を変更する場合、既述したようにビーズ玉５５の上側に設けたストッパ６３を、図１２の如く幹糸１５に沿って矢印方向へ縮めれば、編み目が緩んで幹糸１５に対する密着係止が解除されるため、ビーズ玉５５を幹糸１５に沿って矢印方向へ上下動でき、幹糸１５に対するハリス１９（釣針２７）の取付位置が変更できる。
【００３６】
而して、斯様にビーズ玉５５を幹糸１５に沿って所定の位置に移動させた後、図９に示すようにストッパ６３全体を夫々幹糸１５に沿って引っ張れば、編み目が締まって幹糸１５に密着係止するため、ビーズ玉５５が幹糸１５に固定されることとなる。
このように、本実施形態に係る移動式ビーズ玉６５によっても、釣場の状況に応じ、幹糸１５に対するハリス１９（釣針２７）の取付位置を容易に変更することができるため、図１５の従来例に比し、釣果の向上を図ることが可能となった。
【００３７】
また、本実施形態も幹糸１５にビーズ玉５５の上下動を阻止する結びコブを作る必要がないため、結びコブを作ることによる幹糸１５の劣化を防止することができる利点を有する。
尚、本実施形態では、２つの糸挿通孔５９，６１を設けたが、糸挿通孔は１つでもよく、糸挿通孔５９，６１のいずれかと挿通孔５７とに糸３５を挿通してＵ字状に掛け渡されるようにしてもよく、また、糸３５を糸挿通孔５９，６１のいずれかに挿通し、ビーズ玉５５の外周に沿わせてＵ字状に掛け渡して取り付けてもよい。更にまた、糸挿通孔５９，６１のようにビーズ玉５５の上下方向ではなく、ビーズ玉５５の横方向（挿通孔５７と交差する方向）の糸挿通孔を設け、これに糸３５を挿通してストッパ６３を取り付けてもよい。
【００３８】
そして、図示しないが本実施形態に係る移動式ビーズ玉６５も、図６の幹糸挿通具４９を予めストッパ６３と挿通孔５７とに挿通させて、移動式ビーズ玉４３を単品で販売することも可能である。
図１３は請求項１に係る発明を同じくビーズ玉に適用した第一実施形態を示し、本実施形態は、図２のストッパ３１，３３に代え、挿通孔２３を挿通する幹糸１５に沿ってビーズ玉２１の上側から下側に亘り、２本の同一材料からなる糸３５，６７を編み込んで、ストッパ３１，３３に比し長尺な１つのストッパ６９を設けたものである。
【００３９】
即ち、ストッパ６９は、２本の糸３５，６７をビーズ玉２１の上方で結びコブ７１で連結した後、糸３５，６７を幹糸１５に沿ってその周囲にクロスさせ乍ら、ビーズ玉２１方向へ所定長に亘って螺旋状に編み込んで形成されたもので、挿通孔２３を挿通した後、２本の糸３５，６７はビーズ玉２１の下方で結びコブ７３で連結されており、両結びコブ７１，７３によってビーズ玉２１の脱落防止が図られている。
【００４０】
本実施形態に係る移動式ビーズ玉（移動式仕掛け）７５はこのように構成されているから、ハリス１９（釣針２７）を取り付ける位置を変更する場合、ストッパ６９の両端側を矢印方向へ移動して全体を縮めれば、編み目が緩んで幹糸１５に対する密着係止が解除されるため、ビーズ玉２１を幹糸１５に沿って上下動でき、幹糸１５に対するハリス１９（釣針２７）の取付位置が変更できることとなる。
【００４１】
そして、斯様にビーズ玉２１を幹糸１５に沿って所定の位置に移動させた後、ストッパ６９の両端側を幹糸１５に沿って引っ張れば、編み目が締まって幹糸１５に密着係止するため、ビーズ玉２１が幹糸１５に固定される。
このように、本実施形態に係る移動式ビーズ玉７５によっても、釣場の状況に応じ、幹糸１５に対するハリス１９（釣針２７）の取付位置を容易に変更することができるため、上述した各実施形態と同様、所期の目的を達成することが可能となった。
【００４２】
図１４は請求項１に係る発明をビーズ玉に適用した第二実施形態を示し、本実施形態は、ビーズ玉に幹糸を挿通させる縦方向の挿通孔と、ハリスを挿通させる横向き挿通孔を設けた形態のビーズに本発明を適用したもので、図中、７７は合成樹脂で形成された断面楕円形状のビーズ玉（仕掛け本体）を示し、その長径方向の中央に幹糸１５が挿通する挿通孔７９が形成され、また、これと直交するようにハリス１９を挿通させる横向きのハリス挿通孔８１が設けられている。そして、ハリス挿通孔８１を挿通するハリス１９の先端に釣針２７が取り付き、ハリス１９の他端側には脱落防止用の結びコブ２９が設けられている。
【００４３】
そして、本実施形態は、幹糸１５に沿ってビーズ玉７７の上側に２本の糸３５，６７を幹糸１５に螺旋状に編み込んで、幹糸１５に対するハリス１９（釣針２７）の取付位置を容易に変更可能なストッパ８３を設けたものである。
図示するように２本の糸３５，６７は、夫々、その一端側がビーズ玉７７の上部にインサートされて取り付けられている。そして、糸３５，６７を幹糸１５に沿ってその周囲にクロスさせ乍ら上方へ螺旋状に編み込んで図１０のストッパ６３と同様なストッパ８３が形成されており、糸３５，６７の他端側は、ビーズ玉２１の上方で結びコブ８５で連結されている。
【００４４】
そして、図１０のストッパ６３と同様、本実施形態のストッパ８３も、幹糸１５に沿って全体を引っ張ることで編み目が幹糸１５に密着係止し、また、幹糸１５に沿ってストッパ８３全体を矢印方向に縮めることで編み目が緩むようになっている。
本実施形態に係る移動式ビーズ玉（移動式仕掛け）８７はこのように構成されているから、既述した各実施形態と同様、ハリス１９（釣針２７）を取り付ける位置を変更する場合、ストッパ８３を幹糸１５に沿って矢印方向へ縮めれば、編み目が緩んで幹糸１５に対する密着係止が解除されるため、ビーズ玉７７を幹糸１５に沿って矢印方向へ上下動でき、幹糸１５に対するハリス１９（釣針２７）の取付位置が変更できることとなる。
【００４５】
そして、斯様にビーズ玉７７を幹糸１５に沿って所定の位置に移動させた後、ストッパ８３全体を幹糸１５に沿って引っ張れば、編み目が締まって幹糸１５に密着係止するため、ビーズ玉７７が幹糸１５に固定されることとなる。
このように、本実施形態に係る移動式ビーズ玉８７によっても、釣場の状況に応じ、幹糸１５に対するハリス１９（釣針２７）の取付位置を容易に変更することができるため、既述した各実施形態と同様、所期の目的を達成することが可能となった。
【図面の簡単な説明】
【００４６】
【図１】請求項１及び請求項２の第一実施形態に係る移動式ビーズ玉が複数取り付く幹糸の正面図である。
【図２】図１に示す移動式ビーズ玉の縦断面図である。
【図３】図１に示す移動式ビーズ玉の横断面図である。
【図４】移動式ビーズ玉の移動方法の説明図である。
【図５】請求項１及び請求項２の第二実施形態に係る移動式錘の縦断面図である。
【図６】請求項１及び請求項２の第三実施形態に係る移動式ビーズ玉の縦断面図である。
【図７】請求項１及び請求項２の第四実施形態に係る移動式ビーズ玉の縦断面図である。
【図８】図７に示す移動式ビーズ玉の横断面図である。
【図９】請求項１及び請求項３の一実施形態に係る移動式ビーズ玉を複数取り付けた幹糸の正面図である。
【図１０】図９に示す移動式ビーズ玉の縦断面図である。
【図１１】図９に示す移動式ビーズ玉の横断面図である。
【図１２】移動式ビーズ玉の移動方法の説明図である。
【図１３】請求項１の第一実施形態に係る移動式ビーズ玉の縦断面図である。
【図１４】請求項１の第二実施形態に係る移動式ビーズ玉の縦断面図である。
【図１５】幹糸に取り付く従来のビーズ玉の全体斜視図である。
【図１６】図１５に示すビーズ玉の横断面図である。
【符号の説明】
【００４７】
１５  幹糸
１５-1  釣糸
１９  ハリス
２１，５５，７７  ビーズ玉（仕掛け本体）
２３，５７，７９  挿通孔
２５  ハリス止め
２７  釣針
３１，３３，６３，６９，８３  ストッパ
３５，６７  糸
４３，４３-1，４３-2，６５，７５，８７  移動式ビーズ玉（移動式仕掛け）
４５  錘本体（仕掛け本体）
４７  移動式錘（移動式仕掛け）
４９  幹糸挿通具
５１  紐
５３  巻回溝
５９，６１  糸挿通孔
８１  ハリス挿通孔                                                                               
【図１】
0004668779.tif 000002
【図２】
0004668779.tif 000003
【図３】
0004668779.tif 000004
【図４】
0004668779.tif 000005
【図５】
0004668779.tif 000006
【図６】
0004668779.tif 000007
【図７】
0004668779.tif 000008
【図８】
0004668779.tif 000009
【図９】
0004668779.tif 000010
【図１０】
0004668779.tif 000011
【図１１】
0004668779.tif 000012
【図１２】
0004668779.tif 000013
【図１３】
0004668779.tif 000014
【図１４】
0004668779.tif 000015
【図１５】
0004668779.tif 000016
【図１６】
0004668779.tif 000017